(57)【特許請求の範囲】
【請求項１】
一方向に水平に並べて配置された複数の燃焼部と、上記複数の燃焼部に対応してその真上にそれぞれ配置された複数の熱交換部と、これら複数の熱交換部を囲んで保持する共通の保持胴と、この保持胴から下方に延びて上記複数の燃焼部からの火炎を囲む共通の燃焼胴と、上記複数の燃焼部に選択的にガスを供給する手段と、上記燃焼部に燃焼用空気を供給するとともに熱交換部を通る燃焼ガスの排気を行う共通のファンとを備え、
上記複数の燃焼部の境には空気通路が形成され、この空気通路をファンによる空気流が通ることにより、燃焼胴の内部空間を仕切るエアカーテンが形成されることを特徴とする燃焼装置。
【請求項２】
各熱交換部において、多数の垂直フィンプレートが、熱交換部の並び方向に延び、熱交換部の並び方向と直交する方向に並べられており、通水管が熱交換部の並び方向と直交する方向にフィンプレートを貫通していることを特徴とする請求項１に記載の燃焼装置。
【請求項３】
複数の熱交換部のフィンプレートが互いに連なって共通プレートを構成し、この共通プレートには複数の熱交換部の境において開口が形成され、これら開口の上下に位置する部分が上記熱交換部毎のフィンプレートを連ねる架橋部となっていることを特徴とする請求項２に記載の燃焼装置。
【発明の詳細な説明】
【０００１】
【発明が属する技術分野】
本発明は、複数の用途に用いられる燃焼装置に関する。
【０００２】
【従来の技術】
従来、給湯と風呂追焚、給湯と暖房等、複数の用途に用いられる燃焼装置には、大別して２缶２水型と、１缶２水型がある。
２缶２水型の燃焼装置は、２つの独立した熱交換部と、これら熱交換部に対応する燃焼部とを備えている。各熱交換部は、多数の垂直フィンプレートと、これを貫通する通水管とを備えている。給湯と風呂追焚を行う燃焼装置について説明すると、給湯を行う時には、一方の燃焼部で燃焼を行い、これに対応する熱交換部の通水管に給水管からの水を通して給湯を行う。風呂の追焚を行う時には、他方の燃焼部で燃焼を行い、これに対応する熱交換部の通水管に浴槽の水を通して追焚を行う。
上記２缶２水型の燃焼装置では、２つの機能例えば給湯と風呂追焚を互いに干渉させることなく実行でき、高性能である。しかし、２つの独立した燃焼ユニットを必要とするので装置が大型になるとともに高価であった。
【０００３】
一般的な１缶２水型の燃焼装置、例えば給湯，風呂追焚用の燃焼装置は、共通の熱交換部と燃焼部を一つずつ備えている。熱交換部は、多数のフィンプレートに、給湯用と風呂追焚用の２本の通水管を貫通することにより構成されている。これら２本の通水管は上下に別れて配置されている。この装置では、給湯，風呂追焚のいずれを実行する時でも、同じ燃焼部で燃焼が行われ、同じ熱交換部が加熱される。給湯が実行される時には、給水管からの水が熱交換部の給湯用通水管を通る。風呂追焚が実行される時には、浴槽からの水が熱交換部の風呂追焚用通水管を通る。
【０００４】
上記１缶２水型の燃焼装置は、給湯と風呂追焚を共通の構成要素で実行するため、構成が小型で簡単になり安価となる。しかし、上記給湯と風呂追焚が互いに干渉し合う欠点があった。例えば、給湯だけが行われている時、風呂追焚用通水管に溜まっていた水も加熱される。同様に、風呂追焚だけが行われている時、給湯用通水管に溜まっている水も加熱される。そのため、単独燃焼時の熱交換効率が悪かった。また、風呂追焚時に給湯用通水管に溜まった水が加熱され続けて高温になると、給湯の初期に所望温度より高い湯が出ることがあった。
【０００５】
特公平２ー１７７８４号公報には、改良された１缶２水型の燃焼装置が開示されている。この燃焼装置は、１つのフレーム内に、給湯と風呂追焚のための熱交換部が、それぞれ左右に別れて配置されており、これら熱交換部に対応する燃焼部がその真下に配置されている。上記フレームは上部が熱交換部を保持する保持胴となり、下部が燃焼部からの炎を囲む燃焼胴となっている。この構成では、給湯と風呂追焚の相互干渉が小さくなるにも拘わらず、２つの熱交換部が１つのフレーム内に収まるため、２缶２水型に比べて小型で安価である。
【０００６】
【発明が解決しようとする課題】
上記公報の装置において、燃焼胴の内部空間を仕切らないと、給湯用と風呂追焚の相互干渉をより一層小さくしたいという要求に答えることができない。なぜなら、仕切りがないと、燃焼部の火炎の揺らぎにより、対応する熱交換部のみならず、他の熱交換部の一部をも加熱してしまうからである。そのため、燃焼胴の内部空間を仕切る仕切り壁を必要とし、製造コストが高かった。
【０００７】
【課題を解決するための手段】
請求項１の発明に係わる燃焼装置は、一方向に水平に並べて配置された複数の燃焼部と、上記複数の燃焼部に対応してその真上にそれぞれ配置された複数の熱交換部と、これら複数の熱交換部を囲んで保持する共通の保持胴と、この保持胴から下方に延びて上記複数の燃焼部からの火炎を囲む共通の燃焼胴と、上記複数の燃焼部に選択的にガスを供給する手段と、上記燃焼部に燃焼用空気を供給するとともに熱交換部を通る燃焼ガスの排気を行う共通のファンとを備え、上記複数の燃焼部の境には空気通路が形成され、この空気通路をファンによる空気流が通ることにより、燃焼胴の内部空間を仕切るエアカーテンが形成されることを特徴とする。
【０００９】
請求項２の発明は、請求項１に記載の燃焼装置において、各熱交換部において、多数の垂直フィンプレートが、熱交換部の並び方向に延び、熱交換部の並び方向と直交する方向に並べられており、通水管が熱交換部の並び方向と直交する方向にフィンプレートを貫通していることを特徴とする。
【００１０】
請求項３の発明は、請求項２に記載の燃焼装置において、複数の熱交換部のフィンプレートが互いに連なって共通プレートを構成し、この共通プレートには複数の熱交換部の境において開口が形成され、これら開口の上下に位置する部分が上記熱交換部毎のフィンプレートを連ねる架橋部となっていることを特徴とする。
【００１１】
【発明の実施の形態】
以下、本発明の一実施形態を図１〜図８を参照しながら説明する。図１は、給湯と風呂追焚の２つの機能を有する１缶２水型の燃焼装置を示す。この燃焼装置は、排気ユニット１０と、熱交換ユニット２０と、バーナユニット３０と、ファン４０とを上から順に連接することにより構成されている。
【００１２】
バーナユニット３０は、上端が開口した箱形状のフレーム３１と、このフレーム３１内に収容されたバーナアッセンブリ３２とを備えている。このフレーム３１の底壁に上記ファン４０が取り付けられている。
【００１３】
図６に示すように、上記バーナアッセンブリ３２は、第１バーナエレメント３３（第１バーナ要素）と第２バーナエレメント３４（第２バーナ要素）とをＸ軸方向（図１，図６において左右方向）に交互に隙間なく配列することにより構成されている。これらバーナエレメント３３，３４は、Ｙ軸（Ｘ軸と直交する水平軸）の方向に延びる垂直な平板形状をなしており、図７に示すように下端一側に導入口３３ａ，３４ａを有し、上端面に多数の炎口３３ｂ，３４ｂを有している。なお、図７では、図を簡略化するために炎口３３ｂ，３４ｂを少なく示してある。
【００１４】
上記バーナエレメント３３，３４は、導入口３３ａ，３４ａで、後述するノズルブロック５８のノズル部からのガスを受けるとともにファン４０からの空気を受け、両者を内部空洞３３ｃ，３４ｃで混合し、この混合ガスを炎口３３ｂ，３４ｂから吹き出すようになっている。第１バーナエレメント３３では、導入口３３ａが比較的狭く空気導入量が少ないので、混合ガスのガス濃度が理想濃度（燃焼のために過不足ないガス濃度）より高くなる。これとは反対に、第２バーナエレメント３４の導入口３４ａは比較的広く空気導入量が多いので、混合ガスのガス濃度は、上記理想濃度より低くなる。
【００１５】
上記バーナアッセンブリ３２は、２つの領域に分けられ、それぞれが給湯用燃焼部３２ａと風呂追焚用燃焼部３２ｂとなっている。これら燃焼部３２ａ，３２ｂは、図１，図６に示すように左右方向（Ｘ軸方向）に並んで配置されている。
【００１６】
図１に示すように、バーナアッセンブリ３２へガスを供給する手段５０は、主管５１と、この主管５１から分岐した２つの分岐管５２，５３とを有している。主管５１には主電磁開閉弁５４と電磁比例弁５５が設けられており、分岐管５２，５３にはそれぞれ補助電磁開閉弁５６，５７が設けられている。２つの分岐管５２，５３にはノズルブロック５８が接続されている。このノズルブロック５８は、分岐管５２，５３にそれぞれ接続された２つの通路を有するとともに、これら２つの通路にそれぞれ接続された２群のノズル部を有している。一方の群のノズル部は、給湯用燃焼部３２ａのバーナエレメント３３，３４の導入口３３ａ，３４ａに対峙し、他方の群のノズル部は、風呂追焚用燃焼部３２ｂのバーナエレメント３３，３４の導入口３３ａ，３４ａに対峙している。
【００１７】
フレーム３１の内部空間においてバーナ３２の上下はバイパス通路６０により結ばれており、このバイパス通路６０には風量センサ６１が設けられている。この風量センサ６１は、バイパス通路６０を通る空気の量か、バーナユニット３０の上下の圧力差を検出することにより、ファン４０からのバーナユニット３０を通る送風量に関する情報を得る。
【００１８】
図１，図３に示すように、上記熱交換ユニット２０は、横断面矩形をなし上下端が開口したフレーム２１と、フレーム２１に収容された２つの熱交換部２２ａ，２２ｂとを備えている。フレーム２１の上部は、熱交換部２２ａ，２２ｂを保持するための保持胴２１ｘとなり、下部は燃焼胴２１ｙとして提供される。燃焼胴２１ｙは、バーナユニット３０のフレーム３１に連結されている。
【００１９】
上記熱交換部２２ａは給湯用に提供され、熱交換部２２ｂは風呂追焚用に提供される。これら熱交換部２２ａ，２２ｂはＸ軸方向に並んでおり、給湯用熱交換部２２ａが給湯用燃焼部３２ａの真上に配置され、風呂追焚用熱交換部２２ｂが風呂追焚用燃焼部３２ｂの真上に配置されている。給湯用熱交換部２２ａには給水管７１と給湯管７２が接続されている。給湯管７２には栓７３が設けられている。風呂追焚用熱交換部２２ｂには、往路管８１と復路管８２を介して浴槽８０の循環金具８３が接続されている。復路管８２には、ポンプ８５が設けられている。
【００２０】
次に、熱交換ユニット２０の構造について詳述する。図３に示すように、熱交換ユニット２０は、フレーム２１の保持胴２１ｘ内に収容された多数の薄肉の共通プレート２５を有している。共通プレート２５は垂直をなし両熱交換部２２ａ，２２ｂにわたりＸ軸方向に長く延びており、Ｙ軸方向（図１では紙面と直交する方向）に互いに等しい間隔をおいて並べられている。
【００２１】
各共通プレート２５は、図２に示すように、給湯用熱交換部２２ａに位置する部位すなわち第１フィンプレート２５ａと、風呂追焚用熱交換部２２ｂに位置する部位すなわち第２フィンプレート２５ｂとを有している。第１フィンプレート２５ａと第２フィンプレート２５ｂとの境には開口２５ｃが形成されており、この開口２５ｃの上下に位置する２つの部分２５ｄ1，２５ｄ2が、第１フィンプレート２５ａと第２フィンプレート２５ｂと連ねる架橋部２５ｄとして提供されている。この架橋部２５ｄの上下方向の幅（部分２５ｄ1，２５ｄ2の幅Ｄ1，Ｄ2の合計）は、各フィンプレート２５ａ，２５ｂの上下方向の最小幅Ｄ0に比べて小さい。換言すれば、架橋部２５ｄにおけるＸ軸方向（共通プレート２５の長手方向）の伝熱のための断面積は、各フィンプレート２５ａ，２５ｂの伝熱断面積より小さい。
【００２２】
上記共通プレート２５の第１フィンプレート２５ａ，第２フィンプレート２５ｂには、それぞれ複数の貫通孔２５ｘ，２５ｙが形成されている。これら貫通孔２５ｘ，２５ｙには、図３に示すように、互いに別系統をなす第１通水管２６，第２通水管２７がそれぞれ通っている。第１通水管２６は、フィンプレート２５および保持胴２１ｘを貫通してＹ軸方向に延びる複数の真直部２６ａと、これら真直部２６ａを連絡するベント部２６ｂとを有している。同様にして第２通水管２７も、真直部２７ａとベント部２７ｂとを有している。
【００２３】
第１通水管２６の一端（入口端）は、冷却管２８（図３〜図５参照）を介して給水管７１に接続され、その他端（出口端）は、給湯管７２に接続されている。第２通水管２７の一端（入口端）は冷却管２９（図３〜図５参照）を介して復路管８２に接続され、他端（出口端）は往路管８１に接続されている。これら冷却管２８，２９は、図４，図５に良く示されているように、燃焼胴２１ｙの外周に接した状態で同方向に約１周巻かれており、この燃焼胴２１ｙを冷却する役割を担う。
【００２４】
上記熱交換ユニット２０は、次のようにして製造される。通水管２６，２７の真直部２６ａ，２７ａを構成する真直管を、フレーム２１の保持胴２１ｘおよび多数の共通プレート２５に貫通させた状態で、これら真直管を拡径加工して共通プレート２５に密着させる。次に、これら真直管に隣接して共通プレート２５に貫通されたろう棒（図示しない）を溶かすことにより、真直管を保持胴２１ｘ，共通プレート２５にろう付けする。このろう付けと同時または相前後して、ベント部２６ｂ，２７ｂを構成する半円弧管を真直管にろう付けする。
【００２５】
上記熱交換ユニット２０の製造に際して、共通プレート２５が給湯用熱交換部２２ａと風呂追焚用熱交換部２２ｂにわたって延びており両熱交換部２２ａ，２２ｂに共通のものであるから、その取り扱いが簡単となるとともに、熱交換部２２ａ，２２ｂを同一ラインで同時に製造することができる。その結果、熱交換ユニット２０の製造コストを下げることができる。
上記架橋部２５ｄは２つの部分２５ｄ1，２５ｄ2からなるので、特に捩れに対して強度が高くなり、上記熱交換ユニット２０の製造工程等において破損を防止できる。
【００２６】
次に、燃焼装置の一般的な作用について説明する。栓７３を開くと、給水管７１，通水管２６，給湯管７２に水が流れる。給水管７１に設けられた水流スイッチ（図示しない）がこれを検出し、この検出信号に応答して制御ユニット（図示しない）が、主電磁開閉弁５４，補助電磁開閉弁５６を開くことにより、給湯用燃焼部３２ａでの燃焼制御が開始される。その結果、共通プレート２５のうち給湯用燃焼部３２ａの真上に位置する第１フィンプレート２５ａが主に加熱され、ひいては第１通水管２６を通る給水管７１からの水が加熱され、湯となって給湯管７２へと供給される。この際、風呂追焚用燃焼部３２ｂでは燃焼が行われないので、風呂追焚用熱交換部２２ｂには、ファン４０からの燃焼を伴わない空気が通過するだけであり、第２通水管２７内の水を加熱することはない。また、加熱された第１フィンプレート２５ａから架橋部２５ｄを経て第２フィンプレート２５ｂへ逃げる熱は、架橋部２５ｄの合計幅が狭いので、少なく抑えることができる。
【００２７】
風呂追焚の際には、制御ユニットの制御に基づき、ポンプ８５が駆動して、浴槽８０の水を復路管８２，通水管２７，往路管８１を経て循環させる。これと同時に、主電磁開閉弁５４，補助電磁開閉弁５７を開いて、風呂追焚用燃焼部３２ｂでの燃焼を開始する。その結果、共通プレート２５のうち風呂追焚用燃焼部３２ｂの真上に位置する第２フィンプレート２５ｂが主に加熱され、ひいては第２通水管２７を通る浴槽８０からの水が加熱され、追焚が実行される。この際、給湯用燃焼部３２ａでは燃焼が実行されないので、給湯用熱交換部２２ａには、ファン４０からの燃焼を伴わない空気が通過するだけであり、第１通水管２６内の水を加熱することはない。また、第２フィンプレート２５ｂから架橋部２５ｄを経て第１フィンプレート２５ａへ逃げる熱は少ない。
【００２８】
上述したように、基本的に給湯と風呂追焚は相互干渉なしに行われ、通水管２６，２７の一方を通る水を加熱している時に、他方に溜まった水を加熱することがないので、熱交換ユニット２０での熱負荷は小さくてすみ、単独燃焼時の熱交換効率を高くすることができる。特に、風呂追焚だけを行っている時に、第１通水管２６に溜まった水を加熱しないので、給湯動作の初期に、所望温度より高い温度が排出される不都合を防止することができる。
【００２９】
本実施例では、バーナアッセンブリ３２が第１，第２のバーナエレメント３３，３４を交互に並べて構成してある。第２バーナエレメント３４は、希薄な混合ガスを炎口３４ｂから吹き出し、炎口３４ｂの近傍で一気に燃えるので、図８に示すように燃焼ガスの上昇速度が早く火炎は真っすぐ伸びて揺らぎがない。なお、第１バーナエレメント３３は、濃い混合ガスを炎口３３ｂから吹き出すので、隣の第２バーナエレメントからの空気をもらいながら上昇に伴って燃焼を続ける。これら、第１，第２バーナエレメント３３，３４での燃焼により、総合的にみれば理想のガス濃度での燃焼を行うことができる。
【００３０】
上述したように、バーナエレメント３３，３４からの火炎が真っすぐ上に伸びるため、上記給湯と風呂追焚の相互干渉をより一層少なくすることができる。なぜなら、給湯用燃焼部３２ａでの燃焼による火炎は、真っすぐ伸びて給湯用熱交換部２２ａだけを加熱し、この火炎が揺らいで風呂追焚用熱交換部２２ｂの一部を加熱することがなく、同様に、風呂追焚用燃焼部３２ｂでの燃焼による火炎は、真っすぐ伸びて風呂追焚用熱交換部２２ｂだけを加熱し、この火炎が揺らいで給湯用熱交換部２２ａの一部を加熱することがないからである。その結果、従来のように相互干渉をより一層少なくするための仕切り壁を設けずに済み、製造コストを安くすることができる。
【００３１】
上記ファン４０は、制御ユニットにより、風量センサ６１からの送風量のフィードバック情報に基づいて上記燃焼部３２ａ，３２ｂでのガス，空気の混合比が所望の値になるように制御される。給湯，風呂追焚の両者を同時に実行している時のみならず、いずれか一方だけを実行している時にも、燃焼胴２２ｙの内部空間が仕切り壁で仕切られていないので１つの風量センサ６１だけの検出情報に基づいて、上記制御を行うことができる。
【００３２】
給湯，風呂追焚の少なくとも一方を実行している時に、燃焼胴２１ｙは、バーナ３２からの火炎を囲むため高温にさらされるが、全周にわたって巻かれた２本の冷却管２８，２９のうち少なくとも一方を流れる水により、確実に冷却することができる。
【００３３】
上記実施形態のように、濃淡燃焼をそれぞれ独立して行う第１，第２バーナエレメント３３，３４を交互に並べて用いる代わりに、図９に示すような共通バーナエレメント８１を多数並べて用いてもよい。この共通バーナエレメントは、例えば両側が濃燃焼を行う第１バーナ要素８２となり、中央が淡燃焼を行う第２バーナ要素８３となっている。
【００３４】
図１０，図１１は本発明の第２の実施形態を示す。この実施形態において、最初の実施形態に対応する構成部には同番号を付してその詳細な説明を省略する。図１１に示すように、バーナアッセンブリ３２は、２つの燃焼部３２ａ，３２ｂの境に、Ｙ軸方向に延びる細長い隙間３５（空気通路）を有している。この隙間３５をファン４０による空気流が通り、この空気流は図１０の矢印で示すように、熱交換部２２ａ，２２ｂの境に向かって上昇する。これによって、燃焼胴２１ｙの内部空間を２つに仕切るエアカーテンが形成される。このエアカーテンにより、給湯用燃焼部３２ａの火炎が風呂追焚用熱交換部２２ｂに向かったり、風呂追焚用燃焼部３２ｂの火炎が給湯用熱交換部２２ａに向かうのを、より一層確実に禁じることができ、相互干渉をなくすことができる。
【００３５】
上述した第２の実施形態では、バーナアッセンブリ３２として、第１，第２バーナエレメント３３，３４による濃淡ガス燃焼方式のものを採用して火炎を安定させるとともに、隙間３５に起因したエアカーテンを利用することにより、相互干渉を最小限にしたが、隙間３５を形成する場合には、バーナアッセンブリ３２は濃淡燃焼方式を採用しなくてもよい。
また、隙間３５を形成する代わりに、図６に示すようなバーナアッセンブリを用いて、燃焼部３２ａ，３２ｂの境に位置する第２バーナエレメント３４の導入口３４ａにガスを供給しないようにして（この部分に対峙するノズル部をなくして）、炎口３４ｂから空気のみを吹き出させることでエアカーテンとしてもよい。この場合、当該第２バーナエレメント３４が空気通路を構成する。
【００３６】
【発明の効果】
以上説明したように、請求項１の発明によれば、１缶２水型で小型でありながら、複数の燃焼部が水平に並べられるとともに、これに対応して複数の熱交換部が水平に並べられているので、基本的に相互干渉を少なくすることができる。しかも、燃焼部の境に形成された空気通路からの空気流により、燃焼胴の内部空間を仕切るエアカーテンを作るので、相互干渉をより一層なくすことができる。
【００３８】
請求項２の発明によれば、フィンプレートの配置を工夫することにより、複数の熱交換部のベント部同士の干渉がなく、熱交換部を接近させて燃焼装置を小型にすることができる。このように複数の熱交換部を接近させても、請求項１の工夫により、相互干渉を最小限にすることができる。
【００３９】
請求項３の発明によれば、請求項２の効果に加えて、次の効果を奏する。すなわち、複数の熱交換部のフィンプレートが連なって共通のプレートとなっているので、熱交換部の製造の際に、フィンプレートの取り扱いが容易であるとともに、複数の領域を同時に製造することができ、その結果、熱交換部の製造コストを下げることができる。また、フィンプレート間に開口を形成したので、架橋部を介してのフィンプレート間の熱伝達量が少なくなり、上記領域間の相互干渉をより一層確実に回避することができる。また、架橋部が上下に離れた複数の部分からなるので、機械的強度を高くすることができる。
【図面の簡単な説明】
【図１】本発明の一実施形態を示す燃焼装置の概略構成を示すシステム図である。
【図２】同燃焼装置のフィンプレートを示す正面図である。
【図３】同燃焼装置の熱交換部の平断面図である。
【図４】図３においてIV方向から見た正面図である。
【図５】図３においてV方向から見た背面図である。
【図６】同燃焼装置に用いられるバーナアッセンブリの平面図である。
【図７】（Ａ）は第１バーナエレメントの概略斜視図であり、（Ｂ）は第２バーナエレメントの概略斜視図である。
【図８】同バーナアッセンブリでの炎の状態を示す正面図である。
【図９】他の態様をなすバーナエレメントを示す斜視図である。
【図１０】本発明の第２の実施形態を示す図１相当図である。
【図１１】同第２実施形態に用いられるバーナアッセンブリの平面図である。
【符号の説明】
２１  フレーム
２１ｘ  保持胴
２１ｙ  燃焼胴
２２ａ  給湯用熱交換部
２２ｂ  風呂追焚用熱交換部
２５  共通プレート
２５ａ，２５ｂ  フィンプレート
２５ｃ  開口
２５ｄ1，２５ｄ2  架橋部
２６  第１通水管
２７  第２通水管
３２ａ  給湯用燃焼部
３２ｂ  風呂追焚用燃焼部
３３  第１バーナエレメント（第１バーナ要素）
３４  第２バーナエレメント（第２バーナ要素）
３５  隙間（空気通路）
４０  ファン
５０  ガス供給手段
８２  第１バーナ要素
８３  第２バーナ要素
【図１】
0003655688.tif 000002
【図２】
0003655688.tif 000003
【図３】
0003655688.tif 000004
【図４】
0003655688.tif 000005
【図５】
0003655688.tif 000006
【図６】
0003655688.tif 000007
【図７】
0003655688.tif 000008
【図８】
0003655688.tif 000009
【図９】
0003655688.tif 000010
【図１０】
0003655688.tif 000011
【図１１】
0003655688.tif 000012